(57)【特許請求の範囲】
【請求項１】
各店舗内に配設された複数の店舗機と本部に配設された本部機とをデータ通信可能に接続し、各店舗機が本部機から配信された各本部マスターデータを当該各店舗マスターデータとして各店舗ファイルに記憶可能かつ当該各店舗マスターデータを利用して商品販売に係る各データ処理を実行可能な商品販売データ処理システムにおいて、
前記各店舗機が、当該各店舗ファイルに記憶されている当該各店舗マスターデータについてメンテナンス可能かつ前記本部機からの報告送信要求または自発要求に基づき当該各店舗ファイルに記憶されている各店舗マスターデータの内容を前記本部機に報告送信可能であるとともに、前記本部機から受信したデータ削除情報に基づいて当該各店舗ファイルに記憶されている店舗マスターデータのうちの当該データを削除可能に形成され、
前記本部機が、前記各店舗機から報告受信した各店舗マスターデータを当該各店舗機ごとに記憶可能かつメンテナンス後の各配信対象本部マスターデータを前記各店舗機に配信する前に記憶されている当該各店舗機ごとの報告受信店舗マスターデータと当該各配信対象本部マスターデータとを比較して当該各配信対象本部マスターデータを反映させた後の当該各報告受信店舗マスターデータのデータ量がオーバーフローを発生させるか否かを判別可能であるとともに、オーバーフローが発生すると判別された場合に当該各報告受信店舗マスターデータのデータ量をオーバーフローを発生させないデータ量以下とするための当該各報告受信店舗マスターデータについてのデータ削除情報を作成可能かつ当該各配信対象本部マスターデータに当該各データ削除情報を付して当該各店舗機に配信可能に形成されている商品販売データ処理システム。
【請求項２】
各店舗内に配設された複数の店舗機と本部に配設された本部機とをデータ通信可能に接続し、各店舗機が本部機から配信された各本部マスターデータを当該各店舗マスターデータとして各店舗ファイルに記憶可能かつ当該各店舗マスターデータを利用して商品販売に係る各データ処理を実行可能な商品販売データ処理システムにおいて、
前記各店舗機に、前記本部機からの報告送信要求または自発要求があった場合に各店舗ファイルに記憶されているメンテナンスした後の各店舗マスターデータの内容を前記本部機に報告送信する報告送信手段と，前記本部機から受信したデータ削除情報に基づいて当該各店舗ファイルに記憶されている店舗マスターデータのうちの当該データを削除するデータ削除手段とを設け、
前記本部機に、前記各店舗機から報告受信した各店舗マスターデータを当該各店舗機ごとに記憶する報告受信データ記憶手段と，メンテナンス後の各配信対象本部マスターデータを前記各店舗機に配信する前に報告受信データ記憶手段に記憶されている当該各店舗機ごとの報告受信店舗マスターデータと当該各配信対象本部マスターデータとを比較して当該各配信対象本部マスターデータを反映させた後の当該各報告受信店舗マスターデータのデータ量がオーバーフローを発生させるか否かを判別する判別手段と，オーバーフローが発生すると判別された場合に当該各報告受信店舗マスターデータのデータ量をオーバーフローを発生させないデータ量以下とするための当該各報告受信店舗マスターデータについてのデータ削除情報を作成するデータ削除情報作成手段と，当該各配信対象本部マスターデータに当該各データ削除情報を付して当該各店舗機に配信する情報付き配信手段とを設けた、商品販売データ処理システム。
【請求項３】
前記報告受信データ記憶手段に記憶されている当該各店舗機ごとの報告受信店舗マスターデータを目視確認できるように出力可能に形成されている請求項２記載の商品販売データ処理システム。
【請求項４】
前記各店舗マスターデータの内容および前記データ削除情報が当該各データ件数とそのデータ名とされている請求項１から請求項３までのいずれか１項に記載された商品販売データ処理システム。
【発明の詳細な説明】
【０００１】
【発明の属する技術分野】
本発明は、各店舗内に配設された複数の店舗機と本部に配設された本部機とをデータ通信可能に接続し、各店舗機が本部機から配信された各本部マスターデータを当該各店舗マスターデータとして各店舗ファイルに記憶可能かつ当該各店舗マスターデータを利用して商品販売に係る各データ処理を実行可能な商品販売データ処理システムに関する。
【０００２】
【従来の技術】
図６において、商品販売データ処理システム（ＰＯＳシステム）は、店舗内に配設されかつ商品販売に係るデータ処理を行う店舗機２０と本部内に配設されかつ各店舗内の店舗機２０を一括管理する本部機３０とをネットワーク（例えば、ＩＳＤＮ）３を介してデータ通信可能に接続して構築されている。
【０００３】
店舗機２０には、商品登録機能，会計処理機能等を有する当該店舗内に配設された複数（例えば、２００台）の端末（例えば、電子キャッシュレジスタ）１０がネットワーク（例えば、ＬＡＮ）１を介してデータ通信可能に接続されている。
【０００４】
店舗機２０は、各端末１０から売上データを回収し、本部機３０へ送信する。また、本部機３０から配信された各種設定データ等を当該各端末１０へダウンロードする。つまり、店舗全体管理をしつつ本部（３０）と各端末１０との仲介業務を司る。
【０００５】
ここに、各端末１０で実行する商品販売データ処理のうちの例えば商品登録処理は、当該店舗機２０の店舗ファイル２３Ｍに記憶された商品マスターデータを利用して行われる。つまり、端末１０で入力された商品コードに対応する商品データ（例えば、商品名，単価等）を店舗ファイル（店舗商品マスターデータ）２３Ｍから得て、売上ファイルに登録する。かくして、店舗全体を画一的で正確に運用できる。
【０００６】
この店舗マスターデータは本部機３０から配信されて来るので、店舗機２０内の店舗マスターデータは本部機３０内の本部マスターファイル３３Ｍに記憶された本部マスターデータと常に同じである。つまり、整合されている。
【０００７】
そして、本部マスターデータのメンテナンス（例えば、商品データの追加・変更・削除等）は本部内で行われ、このメンテナンス済み本部マスターデータが店舗機２０に配信される。すなわち、店舗において、店舗マスターデータについての店舗メンテナンスは、許可されていない。
【０００８】
【発明が解決しようとする課題】
ところで、本部主導の従来マスターデータ配信方式では、例えば商品販売データ処理に関して、各店舗ごとの例えば地域的，季節的な固有的事情の詳細を掌握することが難しい。つまり、店舗ごとの販売商品等に関する固有事情の反映が難しいので、販売成績が低下する。
【０００９】
そこで、店舗ごとに当該店舗ファイル（当該店舗マスターデータ）２３Ｍのメンテナンスを許可することが容認されつつある。しかし、この場合でも、新たに本部機３０から配信される本部マスターデータを店舗ファイル（当該店舗マスターデータ）２３Ｍに反映させなければならない。各店舗の円滑な運用を期する為である。
【００１０】
しかるに、店舗ファイル（店舗マスターデータ）２３Ｍのメンテナンスを許可する以上、その内容は店舗側にゆだねられる。したがって、本部から各店舗に本部マスターデータを一方的に配信すると、店舗機２０によっては店舗ファイル２３Ｍに記憶されている店舗マスターデータのデータ容量が多い場合つまり記憶可能残り容量が配信されて来た本部マスターデータのデータ量よりも少ない場合には、結果としてオーバーフローが発生し、店舗ファイル２３Ｍに本部マスターデータの全てを反映できない場合が起こる。
【００１１】
しかも、マスターデータは、上記商品マスターデータのみならず複数の他のマスターデータ（例えば、価格変更マスターデータ，在庫管理マスターデータ，発注管理マスターデータ，クレジット処理マスターデータ等）が存在し、各マスターデータの店舗ファイル２３Ｍへの記憶可能容量はそのデータ件数として制約されている場合が多いので、オーバーフローが発生しているか否かの判断を含む各マスターデータの管理が難しい。店舗ファイル２３Ｍが、各マスターデータごとに別々に設けられている場合も、同様である。
【００１２】
だからと言って、各店舗の店舗ファイル２３Ｍの記憶容量を無制限的に拡大することは、全体管理上もコスト的事情からも許され難い。
【００１３】
本発明の目的は、本部マスターデータを各舗ファイルに確実に反映させることのできる管理容易な販売データ処理システムを提供することにある。
【００１４】
【課題を解決するための手段】
請求項１の発明は、各店舗内に配設された複数の店舗機と本部に配設された本部機とをデータ通信可能に接続し、各店舗機が本部機から配信された各本部マスターデータを当該各店舗マスターデータとして各店舗ファイルに記憶可能かつ当該各店舗マスターデータを利用して商品販売に係る各データ処理を実行可能な商品販売データ処理システムにおいて、
前記各店舗機が、当該各店舗ファイルに記憶されている当該各店舗マスターデータについてメンテナンス可能かつ前記本部機からの報告送信要求または自発要求に基づき当該各店舗ファイルに記憶されている各店舗マスターデータの内容を前記本部機に報告送信可能であるとともに、前記本部機から受信したデータ削除情報に基づいて当該各店舗ファイルに記憶されている店舗マスターデータのうちの当該データを削除可能に形成され、
前記本部機が、前記各店舗機から報告受信した各店舗マスターデータを当該各店舗機ごとに記憶可能かつメンテナンス後の各配信対象本部マスターデータを前記各店舗機に配信する前に記憶されている当該各店舗機ごとの報告受信店舗マスターデータと当該各配信対象本部マスターデータとを比較して当該各配信対象本部マスターデータを反映させた後の当該各報告受信店舗マスターデータのデータ量がオーバーフローを発生させるか否かを判別可能であるとともに、オーバーフローが発生すると判別された場合に当該各報告受信店舗マスターデータのデータ量をオーバーフローを発生させないデータ量以下とするための当該各報告受信店舗マスターデータについてのデータ削除情報を作成可能かつ当該各配信対象本部マスターデータに当該各データ削除情報を付して当該各店舗機に配信可能に形成された商品販売データ処理システムである。
【００１５】
かかる発明では、店舗機は、当該店舗ファイルに記憶されている当該店舗マスターデータについてメンテナンスをした場合には、本部機からの報告送信要求または自発要求に基づき、当該店舗ファイルに記憶されている当該店舗マスターデータの内容を本部機に報告送信する。
【００１６】
本部機は、各店舗機から報告受信した各店舗マスターデータを当該各店舗機ごとに記憶する。そして、本部内でのメンテナンス後の各配信対象本部マスターデータを各店舗機に配信する前に、記憶した各店舗機ごとの報告受信店舗マスターデータと当該各配信対象本部マスターデータとをそれぞれに比較して、当該各報告受信店舗マスターデータのデータ量が当該各配信対象本部マスターデータを反映させた後にオーバーフローが発生するか否かを判別するとともに、オーバーフローが発生すると判別した場合に、当該各報告受信店舗マスターデータを参照して当該各報告受信店舗マスターデータのデータ量をオーバーフローを発生させないデータ量以下とするための当該各報告受信店舗マスターデータについてのデータ削除情報を作成しかつ当該各配信対象本部マスターデータに当該各データ削除情報を付して当該各店舗機に配信する。
【００１７】
店舗機は、本部機から受信したデータ削除情報に基づいて当該店舗ファイルに記憶されている各店舗マスターデータのうちの当該データを削除し、かつ削除後に当該配信対象本部マスターデータを店舗ファイルにオーバーフローを発生させることなく反映（記憶）させることができる。
【００１８】
したがって、本部機からの配信対象本部マスターデータを店舗機の店舗ファイルに確実かつ正確に反映させることができかつ管理容易であるから、店舗の各マスターデ−タを利用した業務を円滑に行える。
【００１９】
また、請求項２の発明は、各店舗内に配設された複数の店舗機と本部に配設された本部機とをデータ通信可能に接続し、各店舗機が本部機から配信された各本部マスターデータを当該各店舗マスターデータとして各店舗ファイルに記憶可能かつ当該各店舗マスターデータを利用して商品販売に係る各データ処理を実行可能な商品販売データ処理システムにおいて、
前記各店舗機に、前記本部機からの報告送信要求または自発要求があった場合に各店舗ファイルに記憶されているメンテナンスした後の各店舗マスターデータの内容を前記本部機に報告送信する報告送信手段と，前記本部機から受信したデータ削除情報に基づいて当該各店舗ファイルに記憶されている店舗マスターデータのうちの当該データを削除するデータ削除手段とを設け、
前記本部機に、前記各店舗機から報告受信した各店舗マスターデータを当該各店舗機ごとに記憶する報告受信データ記憶手段と，メンテナンス後の各配信対象本部マスターデータを前記各店舗機に配信する前に報告受信データ記憶手段に記憶されている当該各店舗機ごとの報告受信店舗マスターデータと当該各配信対象本部マスターデータとを比較して当該各配信対象本部マスターデータを反映させた後の当該各報告受信店舗マスターデータのデータ量がオーバーフローを発生させるか否かを判別する判別手段と，オーバーフローが発生すると判別された場合に当該各報告受信店舗マスターデータのデータ量をオーバーフローを発生させないデータ量以下とするための当該各報告受信店舗マスターデータについてのデータ削除情報を作成するデータ削除情報作成手段と，当該各配信対象本部マスターデータに当該各データ削除情報を付して当該各店舗機に配信する情報付き配信手段とを設けた、商品販売データ処理システムである。
【００２０】
かかる発明では、店舗機側の報告送信手段は、本部機からの報告送信要求または自発要求があった場合に、店舗ファイルに記憶されている店舗内でのメンテナンス後の店舗マスターデータの内容を本部機に報告送信する。
【００２１】
本部機では、各店舗機から報告受信した各店舗マスターデータを報告受信データ記憶手段に当該各店舗機ごとに記憶する。メンテナンス後の各配信対象本部マスターデータを各店舗機に配信する前に、判別手段が、各店舗機ごとの報告受信店舗マスターデータと当該各配信対象本部マスターデータとをそれぞれに比較して、当該各報告受信店舗マスターデータのデータ量が当該各配信対象本部マスターデータを反映させた場合にオーバーフローするか否かを判別する。
【００２２】
そして、オーバーフローが発生すると判別された場合に、データ削除情報作成手段が、当該各報告受信店舗マスターデータを参照して当該各報告受信店舗マスターデータのデータ量を当該各配信対象本部マスターデータを反映させた場合にオーバーフローが発生しないデータ量以下とするための当該各報告受信店舗マスターデータについてのデータ削除情報を作成する。このデータ削除情報は、情報付き配信手段によって、当該各配信対象本部マスターデータに付されて当該各店舗機に配信される。
【００２３】
店舗機では、データ削除手段が、本部機から受信したデータ削除情報に基づいて当該各店舗ファイルに記憶されている店舗マスターデータのうちの当該データを削除し、削除後に当該配信対象本部マスターデータを削除後店舗マスターデータに反映させる。
【００２４】
したがって、請求項１の発明の場合と同様に、本部機からの配信対象本部マスターデータを店舗機の店舗ファイルに確実かつ正確に反映させることができかつ管理容易であるとともに、さらに本部機の報告送信要求または店舗機の自発要求を自動発生可能に形成しておけば、本部機および各店舗機の双方においてオーバーフローを気にすることなくそれぞれの業務を遂行できる。
【００２５】
さらに、請求項３の発明は、前記報告受信データ記憶手段に記憶されている当該各店舗機ごとの報告受信店舗マスターデータを目視確認できるように出力可能に形成されている商品販売データ処理システムである。
【００２６】
かかる発明では、本部機側では、報告受信データ記憶手段に記憶されている当該各店舗機ごとの報告受信店舗マスターデータを目視確認できる。したがって、請求項２の発明の場合と同様な作用効果を奏することができることに加え、さらに残り記憶容量の少ない店舗機については例えば１週間後から使用する予約マスターデータ等の即時配信を後回しにすることができる。つまり、店舗側のメンテナンス結果を尊重できる。
【００２７】
さらにまた、請求項４の発明は、前記各店舗マスターデータの内容および前記データ削除情報が当該各データ件数とそのデータ名とされている商品販売データ処理システムである。
【００２８】
かかる発明では、店舗マスターデータの内容およびデータ削除情報の双方が当該各データ件数とそのデータ名とされている。したがって、請求項１から請求項３までの発明の場合と同様な作用効果を奏することができることに加え、さらにデータ処理を簡素化できる。
【００２９】
【発明の実施の形態】
以下、本発明の実施形態について図面を参照して説明する。
本商品販売データ処理システム（３０，２０，１０）は、基本的構成が従来例（図６）の場合と同様とされているが、さらに図１に示す如く、各店舗機２０に報告送信手段（２１，２２）とデータ削除手段（２１，２２）とを設け、かつ本部機３０に報告受信データ記憶手段３３Ｋと判別手段（３１，３２）とデータ削除情報作成手段（３１，３２）と情報付き配信手段（３１，３２）とを設け、各店舗機２０が本部機３０からの報告送信要求または自発要求があった場合に店舗ファイル２３Ｍに記憶されているメンテナンス後の店舗マスターデータの内容を本部機３０に報告送信可能で、本部機３０が各報告受信店舗マスターデータのデータ量が当該各配信対象本部マスターデータをそのまま反映させた場合にオーバーフローが発生すると判別された場合に、報告受信店舗マスターデータのデータ量をオーバーフローが発生しないデータ量以下とするための当該各報告受信店舗マスターデータについてのデータ削除情報を作成しかつ配信対象本部マスターデータに付されて当該各店舗機２０に配信可能に形成され、各店舗機２０が受信したデータ削除情報に基づいて当該店舗マスターデータのうちの当該データを削除しかつ削除後に当該配信対象本部マスターデータを削除後店舗マスターデータに反映可能に形成されている。
【００３０】
図１において、コンピュータ（ストアコントローラ…ＳＣ）からなる店舗機２０は、ＣＰＵ２１，ＲＯＭ２２，ＲＡＭ２３（店舗ファイル２３Ｍ），キーボード（ＫＢ）２４，表示器（ＩＮＤ）２５，ＨＤＤ２６，時計回路２７，ネットワーク（例えば、ＬＡＮ）１用のインターフェイス（Ｉ／Ｆ）およびネットワーク（例えば、ＩＳＤＮ）３用のインターフェイス（Ｉ／Ｆ）を含み、全端末（電子キャッレジスタ）１０の一括管理機能を持つ。
【００３１】
本部内に配設されたホストコンピュータ（ＨＯＳＴ）からなる本部機３０は、ＣＰＵ３１，ＲＯＭ３２，ＲＡＭ３３，キーボード（ＫＢ）３４，表示器（ＩＮＤ）３５，ＨＤＤ３７およびネットワーク（例えば、ＩＳＤＮ）３用のインターフェイス（Ｉ／Ｆ）を含み、当該チェーン店である各店舗機２０の一括管理機能を持つ。
【００３２】
ＲＡＭ３３には、本部マスターファイル３３Ｍおよび図２に示す報告受信データ記憶手段３３Ｋが設けられいずれもＨＤＤ３７でバックアップされている。
【００３３】
ここに、店舗機２０側の報告送信手段（ＣＰＵ２１，ＲＯＭ２２）は、本部機３０からの報告送信要求（または、自発要求）があった場合（図５のＳＴ３４でＹＥＳ）に、店舗ファイル２３Ｍに記憶されている店舗内メンテナンス後の店舗マスターデータ（件数）Ｎｊの内容を本部機３０に報告送信する（ＳＴ３５〜ＳＴ３７）。
【００３４】
本部機３０でメンテナンスを行い（図４のＳＴ１８〜ＳＴ２１）、これを店舗機２０へ配信する場合、つまりデータ配信要求（図３のＳＴ１０でＹＥＳ）がある場合には、これに先立って店舗機２０へ報告要求（ＳＴ１１）をする。
【００３５】
そして、この報告要求（ＳＴ１１）に応えて当該店舗機２０から店舗マスターデータＮｊを報告受信（ＳＴ１２のＹＥＳ）した場合に、記憶制御手段（ＣＰＵ３１，ＲＯＭ３２）が、当該店舗マスターデータＮｊを報告受信データ記憶手段３３Ｋに当該各店舗機２０ごとに記憶する（ＳＴ１３）。
【００３６】
この各店舗マスターデータ（件数）Ｎｊおよび本部マスターデータ（件数）Ｎｓの内容（並びに、データ削除情報Ｎｃ）は、図２に示すように、当該各データ件数とそのデータ名とされているので、データ処理を簡素化できる。
【００３７】
また、本部機３０側の判別手段（ＣＰＵ３１，ＲＯＭ３２）は、本部内で実行したメンテナンス後の各配信対象本部マスターデータＮｓを各店舗機２０に配信する前に、各店舗機２０ごとの報告受信店舗マスターデータＮｊと当該各配信対象本部マスターデータＮｓとをそれぞれに比較して、当該各報告受信店舗マスターデータのデータ量（Ｎｊ）が当該各配信対象本部マスターデータのデータ量（Ｎｓ）をそのまま反映させた場合に店舗ファイル２３Ｍにオーバーフローが発生してしまうか否かを判別する（ＳＴ１４）。
【００３８】
そして、当該各報告受信店舗マスターデータのデータ量（Ｎｊ）が当該各配信対象本部マスターデータのデータ量（Ｎｓ）をそのまま反映させた場合にはオーバーフローが発生してしまうと判別された場合（ＳＴ１４のＹＥＳ）に、データ削除情報作成手段（ＣＰＵ３１，ＲＯＭ３２）が、当該各報告受信店舗マスターデータＮｊを参照して当該各報告受信店舗マスターデータのデータ量（Ｎｊ）を当該各配信対象本部マスターデータのデータ量（Ｎｓ）を反映させてもオーバーフローを発生させることがないデータ量以下とするための当該各報告受信店舗マスターデータについてのデータ削除情報Ｎｃを作成する（ＳＴ１５）。
【００３９】
このデータ削除情報Ｎｃは、情報付き配信手段（ＣＰＵ３１，ＲＯＭ３２）によって、当該各配信対象本部マスターデータＮｓに付されて当該各店舗機２０に配信される（ＳＴ１６）。
【００４０】
なお、当該各報告受信店舗マスターデータのデータ量が当該各配信対象本部マスターデータを反映させてもオーバーフローが発生しないと判別された場合（ＳＴ１４のＮＯ）には、当該各配信対象本部マスターデータＮｓのみが配信（ＳＴ１７）される。これは、従来例の場合と同じである。
【００４１】
さて、当該店舗機２０では、受信（図５のＳＴ３０でＹＥＳ）した本部マスターデータにデータ削除情報Ｎｃが添付されていると判別（ＳＴ３１のＹＥＳ）された場合には、データ削除手段（ＣＰＵ２１，ＲＯＭ２２）が、そのデータ削除情報Ｎｃに基づいて当該店舗ファイル２３Ｍに記憶されている店舗マスターデータＮｊのうちの当該データを削除（ＳＴ３２）し、削除後に当該配信対象本部マスターデータＮｓを削除後店舗マスターデータに反映させる（ＳＴ３３）。
【００４２】
つまり、店舗内でメンテナンスを行った（図５のＳＴ３８〜ＳＴ４１）ために店舗マスターデータ（件数Ｎｊ）が多くなり、配信されて来た本部マスターデータ（件数Ｎｓ）をそのまま反映（書き込み）してしまうと店舗ファイル２３Ｍがオーバーフローしてしまう虞ある場合に、店舗内メンテナンスで増大したデータ量の全部または一部を削除して空き容量を確保し、しかる後に本部マスターデータ（件数Ｎｓ）を反映（書き込み）する。
【００４３】
したがって、本部機３０からの配信対象本部マスターデータを店舗機２０の店舗ファイル２３Ｍに確実かつ正確に反映させることができかつ管理容易であるとともに、さらに本部機２０の報告送信要求（または、店舗機２０の自発要求）を自動発生可能に形成してあるので、本部機３０および各店舗機２０の双方においてオーバーフローを気にすることなくそれぞれの業務を遂行できる。
【００４４】
また、この実施形態では、出力要求を発する（図４のＳＴ２２でＹＥＳ）ことにより、データ表示制御手段（ＣＰＵ３１，ＲＯＭ３２）が、報告受信データ記憶手段３３Ｋに記憶されている各店舗機２０ごとの報告受信店舗マスターデータＮｊを目視確認できるように表示器３５に表示出力（ＳＴ２３，ＳＴ２４）可能に形成されている。したがって、店舗ファイル２３Ｍの残り記憶容量の少ない店舗機２０については例えば１週間後から使用する予約マスターデータ等の即時配信を後回しにすることができる。つまり、店舗側のメンテナンス結果を尊重できる。
【００４５】
さらに、印刷要求をすれば、図１では図示省略したプリンタで報告受信店舗マスターデータＮｊを印刷出力することができるから、各店舗でのメンテナンス状況を時間的余裕を持って評価できる。
【００４６】
【発明の効果】
請求項１の発明によれば、各店舗機が店舗ファイルに記憶されている店舗マスターデータについてメンテナンス可能かつ本部機からの報告送信要求等に基づき店舗マスターデータの内容を本部機に報告送信可能であるとともに、本部機がメンテナンス後の各配信対象本部マスターデータを店舗機に配信する前に店舗機から報告受信した報告受信店舗マスターデータのデータ量を当該各配信対象本部マスターデータを反映させた場合にオーバーフローが発生しないデータ量以下とするためのデータ削除情報を作成可能かつ当該各配信対象本部マスターデータにデータ削除情報を付して当該店舗機に配信可能、かつ店舗機が本部機から受信したデータ削除情報に基づいて店舗マスターデータのうちの当該データを削除可能に形成された商品販売データ処理システムであるから、本部機からの配信対象本部マスターデータを店舗機の店舗ファイルに確実かつ正確に反映させることができるとともに管理容易でかつ店舗での各マスターデ−タを利用した業務を円滑に行える。
【００４７】
また、請求項２の発明によれば、店舗機に報告送信手段とデータ削除手段とを設け、本部機に報告受信データ記憶手段と判別手段とデータ削除情報作成手段と情報付き配信手段とを設け、本部機が店舗側で行ったメンテナンスにより増大した店舗マスターデータの全部または一部を削除するためのデータ削除情報を店舗機に送信可能かつ店舗機がデータ削除情報に基づき削除後に本部マスターデータを店舗ファイルに反映可能に形成された商品販売データ処理システムであるから、請求項１の発明の場合と同様な効果を奏し得ることはもとより、さらに本部機の報告送信要求または店舗機の自発要求を自動発生可能に形成しておけば、本部機および各店舗機の双方においてオーバーフローを気にすることなくそれぞれの業務を遂行できる。
【００４８】
さらに、請求項３の発明によれば、報告受信データ記憶手段に記憶されている当該各店舗機ごとの報告受信店舗マスターデータを目視確認できるように出力可能に形成されているので、請求項２の発明の場合と同様な効果を奏することができることに加え、さらに残り記憶容量の少ない店舗機については例えば１週間後から使用する予約マスターデータ等の即時配信を後回しにすることができる。つまり、店舗側のメンテナンス結果を尊重できる。
【００４９】
さらにまた、請求項４の発明によれば、各店舗マスターデータの内容およびデータ削除情報が当該各データ件数とそのデータ名とされているので、請求項１から請求項３までの発明の場合と同様な効果を奏することができることに加え、さらにデータ処理を簡素化できる。
【図面の簡単な説明】
【図１】本発明の実施形態を示すブロック図である。
【図２】同じく、報告受信データ記憶手段を説明するための図である。
【図３】同じく、本部機側の動作を説明するためのフローチャート（１）である。
【図４】同じく、本部機側の動作を説明するためのフローチャート（２）である。
【図５】同じく、店舗機側の動作を説明するためのフローチャートである。
【図６】従来例を説明するためのブロック図である。
【符号の説明】
１  ネットワーク
３  ネットワーク
１０  端末
２０  店舗機
２１  ＣＰＵ（報告送信手段，データ削除手段）
２２  ＲＯＭ（報告送信手段，データ削除手段）
２３  ＲＡＭ
２３Ｍ  店舗ファイル
３０  本部機
３１  ＣＰＵ（判別手段，データ削除情報作成手段，情報付き配信手段）
３２  ＲＯＭ（判別手段，データ削除情報作成手段，情報付き配信手段）
３３  ＲＡＭ
３３Ｍ  本部マスターファイル
３３Ｋ  報告受信データ記憶手段
【図１】
0003924642.tif 000002
【図２】
0003924642.tif 000003
【図３】
0003924642.tif 000004
【図４】
0003924642.tif 000005
【図５】
0003924642.tif 000006
【図６】
0003924642.tif 000007